(57)【要約】【課題】高い意匠性、微妙な干渉の色、真珠光沢、メタリック調の光沢等を有する表示とその切換が容易にできる双安定型表示装置、それを用いた広告表示媒体および広告表示方法を提供する。【解決手段】本発明の双安定型表示装置は、光透過性の前面板と背面板とから構成され、該前面板表面にパール顔料を含む層が形成されていることを特徴とする。また、本発明のもう一つの双安定型表示装置は、光透過性の前面板と背面板とから構成され、該前面板がパール顔料を含有していることを特徴とする。【選択図】図１
2007256719.tif 000002
【特許請求の範囲】
【請求項１】
光透過性の前面板と、背面板とを有する双安定型表示装置において、
前記前面板表面に、パール顔料を含む層が形成されていることを特徴とする双安定型表示装置。
【請求項２】
光透過性の前面板と、背面板とを有する双安定型表示装置において、
前記前面板が、パール顔料を含有していることを特徴とする双安定型表示装置。
【請求項３】
請求項１または請求項２に記載の双安定型表示装置であって、パール顔料が平行に配向処理されていることを特徴とする双安定型表示装置。
【請求項４】
請求項１または請求項２に記載の双安定型表示装置であって、
パール顔料を特定の厚みにすることで特定の色調を発現させることを特徴とする双安定型表示装置。
【請求項５】
請求項１または請求項２に記載の双安定型表示装置であって、
前面板表面を２以上部分に分割して分割部分ごとに含まれるパール顔料が異なることを特徴とする双安定型表示装置。
【請求項６】
請求項１または請求項２に記載の双安定型表示装置であって、
さらに、カラーフィルターを含むことを特徴とする双安定型表示装置。
【請求項７】
請求項１または請求項２に記載の双安定型表示装置あって、
第１の表示部と、
第２の表示部とを有し、
前記第１の表示部と第２の表示部とは互いに独立に表示の切り替えが行なえるように構成されていることを特徴とする双安定型表示装置。
【請求項８】
請求項１または請求項２に記載の双安定型表示装置が電気泳動型電子ペーパーであって、
第１の電極部を有する第１の表示部と、
第２の電極部を有する第２の表示部とを有し、
前記第１の電極部と第２の電極部とに互いに独立に電圧印加を行うことで、前記第１の表示部と前記第２の表示部の表示をそれぞれ独立に切り替えが行なえるように構成されていることを特徴とする電子ペーパー。
【請求項９】
請求項１乃至請求項８のいずれか一項に記載の双安定型表示装置を有する広告表示媒体。
【請求項１０】
光透過性の前面板と、背面板と、第１の表示部と、第２の表示部とを有し、前記前面板表面に、パール顔料を含む層が形成されており、前記第１の表示部と第２の表示部とは互いに独立に表示の切り替えが行なえるように構成されていることを特徴とする双安定型表示装置を用意し、
前記第１の表示部に第１の表示を表示し、前記第２の表示部に第２の表示を表示する表示段階と、
前期表示段階の後、前記第１の表示部を前記第２の表示へ、前記第２の表示部の表示を前記第１の表示へ切り替える表示切替段階と、
前記表示段階と前記表示切替段階を反復する段階と、
を備えることを特徴とする広告表示方法。
【請求項１１】
光透過性の前面板と、背面板と、第１の表示部と、第２の表示部とを有し、前記前面板表面に、パール顔料を含む層が形成されており、前記第１の表示部と第２の表示部とは互いに独立に表示の切り替えが行なえるように構成されていることを特徴とする電気泳動型電子ペーパーを用意し、
前記第１の電極部に第１の電圧を印加することで第１の表示を表示し、前記第２の電極部に前記第１の電圧と逆の極性を有する第２の電圧を印加することで第２の表示を表示し、一定時間それらの表示状態を保持する表示段階と、
前期表示段階の後、前記第１の電極部に前記第２の電圧を印加することで第１の表示部の表示を第２の表示へ、前記第２の電極部に前記第１の電圧を印加することで第２の表示部を第１の表示へ切り替えて、一定時間その表示状態を保持する表示切替段階と、
前記表示段階と前記表示切替段階を反復する段階と、
を備えることを特徴とする広告表示方法。
【発明の詳細な説明】
【技術分野】
【０００１】
本発明は、双安定型表示装置、それを用いた広告表示媒体および広告表示方法に関する。さらに詳しくは、高い意匠性を有する表示の切換が可能な双安定型表示装置、それを用いた広告表示媒体および広告表示方法に関する。
【背景技術】
【０００２】
近年、情報機器の発達に伴い、表示装置の低消費電力化、薄型化、フレキシブル化等の需要が増してきており、これらの需要に合わせた表示装置の研究、開発が盛んに行われている。その中で、特に注目を集めている表示装置として、いわゆる電子ペーパーと言われているものがある。
電子ペーパーとしては、様々な方式が提案されてきており、電気泳動型（例えば、特許文献１参照。）、ツイストボール型、記憶液晶型、エレクトロクロミー型、サーマルリライタブル型、磁気泳動型等を挙げることができるが、これらは表示の切り替え時にのみ電力、磁力等のエネルギーを必要とし、表示の保持にはエネルギーを必要としない点において共通する双安定型表示装置である。
【０００３】
これらの双安定型表示装置は、低消費電力、薄型といった長所を生かし、電子書籍、POPやポスターといった広告表示媒体、価格表示等への応用が提案されており、モノクロ表示だけでなく、情報量、意匠性等に優れたカラー表示を実現すべく、開発が進められている。
例えば、モノクロ表示可能な双安定型表示装置の表示面に、カラーフィルターを用いる方法（例えば、特許文献２参照。）や、素子ごとにカラーの着色材を含む電気泳動インクを封入し制御する方法（例えば、特許文献３参照。）等が提案されている。
【０００４】
一方で、雑誌、ポスター、ＰＯＰ、広告看板といった広告表示媒体には、従来より、微妙な干渉の色、真珠光沢、メタリック調の光沢等を表現した意匠性の高い印刷が用いられてきている。広告表示媒体は、特に、観者の視線、興味を強く引くような印刷が好まれるため、カラー表示だけではなく、特殊な効果を持った印刷が採用されてきている。
【０００５】
近年、雑誌、ポスター、ＰＯＰ、公告看板といった広告表示媒体に上記双安定型表示装置を利用することにより、これまで表示切換が不可能であった広告印刷物等を、広告表示の切り替えが可能なものとし、より意匠性が高く、観者の視線、興味を強く引くための提案がされてきている（例えば、特許文献４および特許文献５参照。）。
【０００６】
しかしながら、特許文献２や特許文献３に示されるようなカラー表示方法を用いることで、表示切換可能なカラー表示をすることはできるが、高い意匠性、特に微妙な干渉の色、真珠光沢、メタリック調の光沢等を表示し、表示切換可能とすることは非常に困難である。
【０００７】
電気泳動型の電子ペーパーにおいて、カラーの着色剤としてパール顔料を使用した電気泳動インクを用いることで、この課題を解決する方法が考えられる。通常の電気泳動粒子は球状であり、互いに異なる色および電荷を持たせて電極間に封入される。そして、電極に電圧を印加することで、互いに異なる色及び電荷をもたせた電気泳動粒子は互いに異なる電極に引寄せられ、例えば、白色の電気泳動粒子が表面側電極に移動し、黒色の電気泳動粒子が裏面側の電極へ移動するため、表示面に白色を表示することができる。
【０００８】
しかし、パール顔料はアスペクト比を有するリン片形状を有している。例えば、パール顔料を用いたリン片状粒子および通常の白色の球状粒子を互いに異なる電荷を持たせて電極間に封入した場合、電極に電圧を印加した場合であっても、パール顔料を用いた粒子は、リン片状であるため、移動の際に互いにその移動を妨げ、さらに白色の球状粒子の移動をも阻害し、所望の色を表示することができない。
【０００９】
【特許文献１】ＷＯ２００５／０２４５０５号公報
【特許文献２】特開２００３−１６１８２２号公報
【特許文献３】特開２０００−０３５５９８号公報
【特許文献４】特開２００４−３４１５１９号公報
【特許文献５】特開２００４−２２０４９８号公報
【発明の開示】
【発明が解決しようとする課題】
【００１０】
本発明は、上記従来の課題及び現状等に鑑みこれを解消しようとするものであり、高い意匠性、微妙な干渉の色、真珠光沢、メタリック調の光沢等を有する表示とその切換が容易かつ安価に実現できる双安定型表示装置、それを用いた広告表示媒体および広告表示方法を提供することを目的とするものである。
【課題を解決するための手段】
【００１１】
本発明者らは、上記従来技術の課題等について鋭意検討した結果、双安定型表示装置において、光透過性の前面板表面にパール顔料を含む層を形成することにより、または、前面板にパール顔料を含有せしめることにより、上記目的の双安定型表示装置、それを用いた広告表示媒体および広告表示方法が得られることを見い出し、本発明を完成するに至ったのである。
【００１２】
すなわち、本発明は、次の（１）乃至（１１）に存する。
（１）光透過性の前面板と、背面板とを有する双安定型表示装置において、該前面板表面に、パール顔料を含む層が形成されていることを特徴とする双安定型表示装置。
（２）光透過性の前面板と、背面板とを有する双安定型表示装置において、該前面板が、パール顔料を含有していることを特徴とする双安定型表示装置。
（３）（１）または（２）に記載の双安定型表示装置であって、パール顔料が平行に配向処理されていることを特徴とする双安定型表示装置。
（４）（１）または（２）に記載の双安定型表示装置であって、パール顔料を特定の厚みにすることで特定の色調を発現させることを特徴とする双安定型表示装置。
（５）（１）または（２）に記載の双安定型表示装置であって、前面板表面を２以上部分に分割して分割部分ごとに含まれるパール顔料が異なることを特徴とする双安定型表示装置。
（６）（１）または（２）に記載の双安定型表示装置であって、さらに、カラーフィルターを含むことを特徴とする双安定型表示装置。
（７）（１）または（２）に記載の双安定型表示装置あって、第１の表示部と、第２の表示部とを有し、前記第１の表示部と第２の表示部とは互いに独立に表示の切り替えが行なえるように構成されていることを特徴とする双安定型表示装置。
（８）（１）または（２）に記載の双安定型表示装置が電気泳動型電子ペーパーであって、第１の電極部を有する第１の表示部と、第２の電極部を有する第２の表示部とを有し、前記第１の電極部と第２の電極部とに互いに独立に電圧印加を行うことで、前記第１の表示部と前記第２の表示部の表示をそれぞれ独立に切り替えが行なえるように構成されていることを特徴とする電子ペーパー。
（９）上記（１）乃至（８）に記載の双安定型表示装置を有する広告表示媒体。
（１０）光透過性の前面板と、背面板と、第１の表示部と、第２の表示部とを有し、前記前面板表面に、パール顔料を含む層が形成されており、前記第１の表示部と第２の表示部とは互いに独立に表示の切り替えが行なえるように構成されていることを特徴とする双安定型表示装置を用意し、前記第１の表示部に第１の表示を表示し、前記第２の表示部に第２の表示を表示する表示段階と、前期表示段階の後、前記第１の表示部を前記第２の表示へ、前記第２の表示部の表示を前記第１の表示へ切り替える表示切替段階と、前記表示段階と前記表示切替段階を反復する段階と、を備えることを特徴とする広告表示方法。
（１１）光透過性の前面板と、背面板と、第１の表示部と、第２の表示部とを有し、前記前面板表面に、パール顔料を含む層が形成されており、前記第１の表示部と第２の表示部とは互いに独立に表示の切り替えが行なえるように構成されていることを特徴とする電気泳動型電子ペーパーを用意し、前記第１の電極部に第１の電圧を印加することで第１の表示を表示し、前記第２の電極部に前記第１の電圧と逆の極性を有する第２の電圧を印加することで第２の表示を表示し、一定時間それらの表示状態を保持する表示段階と、前期表示段階の後、前記第１の電極部に前記第２の電圧を印加することで第１の表示部の表示を第２の表示へ、前記第２の電極部に前記第１の電圧を印加することで第２の表示部を第１の表示へ切り替えて、一定時間その表示状態を保持する表示切替段階と、前記表示段階と前記表示切替段階を反復する段階と、を備えることを特徴とする広告表示方法。
【発明の効果】
【００１３】
本発明によれば、高い意匠性、微妙な干渉の色、真珠光沢、メタリック調の光沢等を有する表示とその切り換えが容易にできる双安定型表示装置、それを用いた広告表示媒体、および広告表示方法が提供される。
【発明を実施するための最良の形態】
【００１４】
以下に、本発明の実施の形態を詳しく説明する。
本発明の双安定型表示装置は、少なくとも光透過性の前面板と背面板から構成され、該前面板表面に、パール顔料を含む層が形成されていることを特徴とするものである。また、該前面板が、パール顔料を含有していることを特徴とするものである。
【００１５】
本発明に用いられる双安定型表示装置は、白と黒のような２つの表示状態が表示でき、表示の切り替え時にのみ電力、磁力、熱等のエネルギーを必要とし、該表示の保持にはエネルギーを必要としない表示装置であれば、いずれの方式のものでも用いることができる。
具体的には、電極間に挟まれた低誘電率溶媒中を帯電粒子が泳動する電気泳動方式、電極間に挟まれた低誘電率溶媒中で微粒子が回転するツイストボール方式、スメクチック液晶等と高分子材料を複合化し高分子材料中に液晶ドロップレットが分散した構造のＰＤＬＣ（ｐｏｌｙｍｅｒ  ｄｉｓｐｅｒｓｅｄ  ｌｉｑｕｉｄ  ｃｒｙｓｔａｌ）方式、コレステリック液晶等を利用した記憶液晶型方式、電気化学的な酸化還元による物質の色調変化を利用したエレクトロクロミー方式、熱によるロイコ染料のラクトン環開閉に伴う発消色変化を利用したサーマルリライタブル方式、磁性を帯びた微粒子の移動を利用した磁気泳動方式等を挙げることができるが、これらに限定されるものではない。
【００１６】
本発明に用いられるパール顔料としては、天然真珠・魚・貝・蝶々等に見られる種々の真珠光沢（深みのある、柔らかい、時として虹彩色を伴う光沢）を有する顔料であれば特に限定されるものではないが、天然パールエッセンスからなる顔料、塩基性炭酸塩、オキシ塩化ビスマス、金属酸化物被覆雲母等のいわゆる各種パール顔料を用いることができるものである。
具体的には、天然の雲母に酸化チタン、酸化鉄、酸化スズ等の金属酸化物をコートした顔料、フレーク状のアルミナに酸化チタン、酸化鉄、酸化スズ等の金属酸化物をコートした顔料、シリカフレークを基材として酸化チタン、酸化鉄、酸化スズ等の金属酸化物をコートした顔料、ガラスフレークを基材として酸化チタン、酸化鉄、酸化スズ等の金属酸化物をコートした顔料等を用いることができるが、これらに限定されるものではない。
【００１７】
また、本発明に用いられるパール顔料は、表示の意匠性を考慮して、適宜、赤、青、オレンジ等の様々な色調を発現するタイプのものを選択して、あるいは数種類を組み合わせて用いることもできる。
また、メタリック調のキラキラした光沢をもたらすような大きな粒子のパール顔料、絹に似た柔らかい光沢をもたらすような小さな粒子のパール顔料を、適宜選択して、あるいは組み合わせて用いることもできる。
さらに、上記のようなパール顔料を種々選択、組み合わせることに限られず、パール顔料とともに、無機・有機顔料、染料等の色材を適宜組み合わせて用いることもでき、これによりさらに意匠性の高い表示を得ることもできる。
【００１８】
次に、図を参照しながら本発明の構成を実施形態により説明する。
（実施形態１）
図１は、本発明の実施形態の一例である、前面板１０表面にパール顔料１５を含む層２０が形成されている双安定型表示装置の断面図を示すものである。
対向配置された前面板１０、背面板３０と、その間に形成される層４０からなる双安定型表示装置の層は、用いられる双安定型表示装置の方式により適宜最適な構成を成すものであるが、例えば、電気泳動方式の表示装置を用いた場合には、図４に示すように、前面板１０と背面板３０の対向する面には電極１１、３１がそれぞれ構成され、その電極間に互いに色と電荷の異なる帯電粒子４１、４２と低誘電率溶媒４３が封入される構成となる。
【００１９】
前面板１０表面に形成されるパール顔料１５を含む層２０は、例えば、パール顔料とバインダー樹脂を含んだインキや塗料を、噴霧、塗布等することにより形成することができる。また、ＰＶＣ、ポリスチレン、アクリル、ＰＥＴ等の透明なプラスチックにパール顔料を添加してフィルム状に加工したものを、ラミネート等の技術を用いて前面板１０に貼り合わせることにより形成することもできるが、これらに限定されるものではない。さらに、これら噴霧、塗布やラミネート等を適宜組み合わせて、意匠性を高めることもできるものである。
【００２０】
ここで、パール顔料１５を含む層２０は、図３（ａ）に示すように、パール顔料１５がバインダー樹脂やプラスチック等からなる媒体５０中に、平行に配向させることが望ましい。これにより、パール顔料の各粒子への入射光６０が一定方向に規則的に反射され、理想的な光沢を得ることができる。一方、図３（ｂ）に示すように、一方、配向処理が不十分な場合、光の散乱が生じるため、パール効果が得られにくくなってしまうので好ましくない。
【００２１】
（実施形態２）
図２は、本発明の実施形態の他の一例を示すものである、前面板１０がパール顔料１５を含有している双安定型表示装置の断面図を示すものである。
基本的な構成は実施形態１と同様であるが、例えば、予めＰＶＣ、ポリスチレン、アクリル、ＰＥＴ等の透明なプラスチックにパール顔料を添加してフィルム状にしたものを前面板１０とすることにより、後からパール顔料１５を含む層２０を形成する必要がなくなる等の利点を有するものである。
【００２２】
パール顔料１５を含む層２０、およびパール顔料１５を含有している前面板１０は、双安定型表示装置の表示面全体に施されている必要はなく、表示の意匠性を高めたい部分だけに施すこともできるし、表示面を複数の部分に分割して分割された部分ごとに異なる種類のパール顔料を含むものとすることもできるものである。
また、カラーフィルター等従来の技術と組み合わせて用いることも当然できるものである。
これらにより、さらに意匠性を高めた双安定型表示装置とすることが可能となる。
【００２３】
次に、本発明の表示について説明する。
パール顔料は、例えば、酸化チタンや酸化鉄等の酸化物被覆層の厚さにより、入射光の一部が透過し、残りが反射して、透過色と反射色を示すものである。従って、パール顔料を含む層やパール顔料を含有する前面板の背景の反射特性、すなわち双安定型表示装置の表示色により、特殊な色効果を発揮せしめることができる。
この効果を利用し、例として図５（ａ）に示すように、双安定型表示装置である電気泳動表示装置の表示状態を白（全反射性）とした場合には、パール顔料の透過成分１０１である補色が背景によって再び元へ反射されて、パール顔料元来の反射色である成分１００に加わり、特殊な２色効果が発現されることになる。
一方、図５（ｂ）に示すように、背景が黒色（濃色）の場合には、透過成分１０１は背景の黒色（濃色）に吸収されて、パール顔料元来の反射色である成分１００のみを目にすることになり、色強度が強く彩度の高い反射光を得ることができるものとなる。
【００２４】
したがって、パール顔料を含む層やパール顔料を含有する前面板と組み合わせる双安定型表示装置の表示色を様々な組合せに変更することにより、複雑な色効果が合わさることになり、高い意匠性、微妙な干渉の色、真珠光沢、メタリック調の光沢等を有する表示とその切換が容易にできるものとなる。
【００２５】
このように、本発明のパール顔料を含む層やパール顔料を含有する前面板と組み合わされた双安定型表示装置を用いることにより、簡易かつ安価に、低消費電力で、視野角の広い、高コントラストな表示を得ることが可能になり、かつ高い意匠性、微妙な干渉の色、真珠光沢、メタリック調の光沢等の表示と切換が容易にできるため、観者の視線や興味を強く引くことになり、広告媒体に好適なものとなる。
【実施例】
【００２６】
次に、本発明を実施例により詳述するが、本発明は下記に限定されるものではない。
（実施例１）
チタンカップリング剤で処理した酸化チタン（平均粒径約０．４μｍ）、カーボンブラックで着色されたアクリルビーズ（平均粒径約５μｍ）を、界面活性剤としてヒドロキシエチルラウリルアミンを用いてノルマルドデカン中に分散し、電気泳動表示用のインクを作成した。
次に、透明電極としてＩＴＯ膜を形成したガラス板を前面板と背面板に用い、電極間隔が５０μｍとなるように対向配置して、基板間に上記電気泳動表示用のインクを挟み込んだ後、周囲をＵＶ硬化樹脂により接着することで、双安定型表示装置としての電気泳動表示装置を得た。
さらに、バインダー樹脂としてポリビニルブチラールをエタノール中に溶解し、パール顔料（メタシャインＭＣ−１０８０ＲＧ、日本板硝子社製、平均厚さ１μｍ、平均粒径８０μｍ、ガラスフレーク基材に酸化チタン被覆、干渉色：緑）を添加して作成した液を、エアスプレーを用いて上記電気泳動表示装置の前面板表面に噴霧して、パール顔料を含む層が形成された双安定型表示装置１を得た。
【００２７】
（実施例２）
ＰＶＣ中にパール顔料（メタシャインＭＣ−１０８０ＲＧ、日本板硝子社製、平均厚さ１μｍ、平均粒径８０μｍ、ガラスフレーク基材に酸化チタン被覆、干渉色：緑）を分散してシート状に成形したフィルムにＩＴＯ膜を形成した前面板と、ＰＥＴフィルムにＩＴＯ膜を形成した背面板の間に、厚さ５０μｍのＰＥＴシートに複数の１×１ｍｍ角の正方形の貫通孔をレーザーにて形成したメッシュと、上記実施例１記載の電気泳動表示用のインキとともに挟み込み、周囲をＵＶ硬化樹脂により接着することで、パール顔料を含む前面板を有する双安定型表示装置としての電気泳動表示装置２を得た。
【００２８】
電気泳動表示装置１、および２の電極基板間に、５０Ｖの直流電圧をかけて前面板に白粒子（酸化チタン）を移動させた場合と、黒粒子（カーボンブラックで着色されたアクリルビーズ）を移動させた場合の表示を目視にて確認したところ、白粒子を前面板に移動させた場合には、前面板の表示状態はほぼ白色で、観る角度により薄く赤みを帯びて見える表示状態を示した。一方、黒粒子を前面板に移動させた場合には、赤から緑色にかけての色調を有するのキラキラしたパール調の表示状態を示した。
さらに、上記電気泳動表示装置１、および２において、電圧の正負を交互に入れ替えて、表示の切り替えを繰り返し行ったところ、白表示とキラキラとしたパール調の表示を明瞭に切換表示させることができた。
【００２９】
これは、白粒子を前面板側に移動させた場合には、パール顔料の反射色と透過色の両方が全反射されて一部赤みの色が視認され、かつその強度が弱いためにほとんど白色に観察されたものと考えられる。
一方、黒粒子を前面板側に移動させた場合には、パール顔料の透過色は吸収され、反射色のみが視認されたため、キラキラとしたパール調の赤から緑色にかけての色調が視認されたものと考えられる。
以上と同様の発色機構により、様々なパール顔料、双安定型表示装置等の組合せにより、高い意匠性、微妙な干渉の色、真珠光沢、メタリック調の光沢等を有する表示とその切換が容易にできる双安定型表示装置を得ることができると考えられる。
【００３０】
（実施例３）
実施例１、実施例２で用いた背面板を、ガラスエポキシ製の基材に図６（ａ）、（ｂ）に示すようなセグメント電極（文字表示用電極部）７０、および背面電極（背面表示用電極部）８０を形成したものを使用した以外は、実施例１、実施例２と同様にして、双安定型表示装置としての電気泳動表示装置３（広告表示媒体用）を作成した。
【００３１】
電気泳動表示装置３において、表示の切り替えを行ったところ、白表示と、キラキラとしたパール調の赤から緑にかけての色調を有する表示とを明瞭に表示させることができた。
背面の表示と、セグメント部（文字部）の色調を異なるものとしてコントラスト表示した場合には、特に、白表示とキラキラとしたパール調の表示の違い（差）が際立ち、高い意匠性を示すことが確認できた。さらに、背面の表示とセグメント部（文字部）の表示を一定時間ごとに反転させて表示させることにより、観者の目を引く、より高い意匠性と表示を兼ね備えた広告表示媒体に適した双安定型表示装置となることが確認できた。
【図面の簡単な説明】
【００３２】
【図１】本発明である前面板表面にパール顔料を含む層が形成されている双安定型表示装置の一例を示す概略断面図である。
【図２】本発明である前面板がパール顔料を含有している双安定型表示装置の一例を示す概略断面図である。
【図３】（ａ）は、パール顔料が媒体中に、平行に配向されている状態を示す概略断面図であり、（ｂ）は、パール顔料の媒体中における一方配向が、不十分な状態を示す概略断面図である。
【図４】本発明の双安定型表示装置が、電気泳動表示装置である場合の一例を示す概略断面図である。
【図５】（ａ）は、本発明の双安定型表示装置が電気泳動表示装置である場合における、表示状態を白とした場合の透過光、反射光の状態を示す概略図であり、（ｂ）は、表示状態を黒色（濃色）とした場合の透過光、反射光の状態を示す概略図である。
【図６】（ａ）は、本発明の広告表示媒体用背面基板電極の一例を示す正面図であり、（ｂ）は、広告表示媒体用背面基板電極の一例を示す背面図である。
【符号の説明】
【００３３】
７０    セグメント電極（文字表示用電極部）
８０    背面電極（背面表示用電極部）
９０    スルーホール
１１０  引き出し線
【図１】
2007256719.tif 000003
【図２】
2007256719.tif 000004
【図３】
2007256719.tif 000005
【図４】
2007256719.tif 000006
【図５】
2007256719.tif 000007
【図６】
2007256719.tif 000008